(57)【要約】【課題】  クレイドルに載置された情報機器を特定して、特定した情報機器と連携した通信サービスを行うクレイドルおよび情報機器を提供する。【解決手段】  ワイヤレスサービスクレイドルに所定の情報機器が載置されたことを検知する載置検知手段と、所定の情報機器との近距離無線通信機能を起動する無線通信起動手段と、認証情報を受信する認証情報受信手段と、認証情報転送手段と、認証情報に対する応答を受信する応答受信手段と、許可応答であった場合に所定のサーバへのアクセスに係る情報を当該情報機器へ通知するサーバアクセス情報通知手段を有し、サーバと情報機器との間で情報を中継する。【選択図】    図２
2014071849.tif 000002
【特許請求の範囲】
【請求項１】
情報機器をワイヤレスで充電すると共に所定の機能を有するワイヤレスサービスクレイドルであって、
自ワイヤレスサービスクレイドルに所定の情報機器が載置されたことを検知する載置検知手段と、所定の情報機器が載置されたことを検知した場合に近距離無線通信機能を起動する無線通信起動手段と、前記載置された情報機器から当該機器を特定する認証情報を受信する認証情報受信手段と、前記受信した認証情報を所定の認証サーバへ転送する認証情報転送手段と、前記転送した認証情報に対する応答を受信する応答受信手段と、前記受信した応答が許可応答であった場合に所定のサーバへのアクセスに係る情報を当該情報機器へ通知するサーバアクセス情報通知手段と、前記サーバと前記情報機器との間で情報を中継する情報中継手段と、を有する
ことを特徴とするワイヤレスサービスクレイドル。
【請求項２】
請求項２に記載のワイヤレスサービスクレイドルであって、
前記認証情報受信手段が受信した認証情報を解析して、当該情報機器が自ワイヤレスサービスクレイドルと連携する特定の機器であるか否かを判定する特定機器判定手段をさらに有し、
前記特定の機器であると判定した場合に、前記認証情報転送手段を起動し、前記特定の機器ではないと判定した場合に、前記認証情報転送手段または前記情報中継手段を起動しない
ことを特徴とするワイヤレスサービスクレイドル。
【請求項３】
請求項２に記載のワイヤレスサービスクレイドルであって、
自ワイヤレスサービスクレイドルは載置された情報機器の音声情報を入出力するハンドセットを有し、
前記特定機器判定手段が前記特定の機器ではないと判定した場合であっても、前記ハンドセットと前記載置された情報機器との間で音声情報を中継する
ことを特徴とするワイヤレスサービスクレイドル。
【請求項４】
請求項１〜３に記載のワイヤレスサービスクレイドルと連動する情報機器であって、
無線通信が接続された場合に前記ワイヤレスサービスクレイドルとの接続であるかどうかを判定する無線通信機器判定手段と、無線通信接続が前記ワイヤレスサービスクレイドルであると判定した場合に当該機器を特定させる認証情報を当該ワイヤレスサービスクレイドルへ送信する認証情報送信手段と、前記ワイヤレスサービスクレイドルからの所定のサーバへのアクセスに係る情報を受信し保存するサーバアクセス情報保存手段と、前記所定のサーバへのアクセスに係る情報に基づいて所定のサーバへとアクセスするサーバアクセス手段と、を有し、前記ワイヤレスサービスクレイドルとの認証完了により前記ワイヤレスサービスクレイドルを介した前記サーバとの通信を行う
ことを特徴とする情報機器。
【発明の詳細な説明】
【技術分野】
【０００１】
本発明は、情報機器に対してワイヤレスで充電すると同時に、サーバ類との認証情報を中継し音声通話サービスを中継するワイヤレスサービスクレイドルおよびこのワイヤレスサービスクレイドルとの通信に対応する情報機器に関する。
【背景技術】
【０００２】
従来の無線通信システムでは、クレイドルが情報通信機器を乗せたことを検出して、情報通信機器とクレイドル間で通信をする無線通信システムがある。この無線通信システムは、情報通信機器とクレイドルが勘合すると、特定の指向性を持ったアンテナで通信することで、混信を防ぎながら通信する技術がある。（例えば、特許文献１）
しかしながら、この技術は、クレイドルが情報通信機器と勘合を検知して無線通信させるために、クレイドル自身が載置された情報通信機器を判定することが出来ない。このため、同じ型名の通信機器が載置された場合、個々の情報通信機器に応じてサービスすることが出来ない。
【先行技術文献】
【特許文献】
【０００３】
【特許文献１】特開２００６−６５７００号公報
【発明の概要】
【発明が解決しようとする課題】
【０００４】
そこで、本発明の課題は、クレイドルに載置された情報機器を特定して、特定した情報機器と連携した通信サービスを行うクレイドルおよび情報機器を提供することにある。
【課題を解決するための手段】
【０００５】
上記課題を解決するために、本発明によるワイヤレスサービスクレイドルは、情報機器をワイヤレスで充電すると共に所定の機能を有するワイヤレスサービスクレイドルであって、自ワイヤレスサービスクレイドルに所定の情報機器が載置されたことを検知する載置検知手段と、所定の情報機器が載置されたことを検知した場合に近距離無線通信機能を起動する無線通信起動手段と、前記載置された情報機器から当該機器を特定する認証情報を受信する認証情報受信手段と、前記受信した認証情報を所定の認証サーバへ転送する認証情報転送手段と、前記転送した認証情報に対する応答を受信する応答受信手段と、前記受信した応答が許可応答であった場合に所定のサーバへのアクセスに係る情報を当該情報機器へ通知するサーバアクセス情報通知手段と、前記サーバと前記情報機器との間で情報を中継する情報中継手段と、を有することを特徴とする。
【発明の効果】
【０００６】
本発明によれば、ワイヤレスサービスクレイドルに載置された情報機器を特定し、ユーザが煩わしい操作・手続きを行わなくても、所定の認証サーバへのアクセスおよびＳＩＰサーバとの連携によるＳＩＰ電話機能といった通信サービスを利用可能とするワイヤレスサービスクレイドルおよび情報機器を提供できる。
【図面の簡単な説明】
【０００７】
【図１】本発明によるワイヤレスサービスクレイドルと情報機器が含まれるシステム構成図である。
【図２】本発明によるワイヤレスサービスクレイドルの機能ブロック構成図である。
【図３】本発明によるワイヤレスサービスクレイドルの動作フローチャート図である。
【図４】本発明による情報機器の機能ブロック構成図である。
【図５】本発明による情報機器の動作フローチャート図である。
【発明を実施するための形態】
【０００８】
以下、図面を併用して本発明の一実施形態について説明する。
【０００９】
図１は、本発明によるワイヤレスサービスクレイドル１と情報機器２が含まれるシステム構成図である。図示するようにこのシステムは、ワイヤレスサービスクレイドル１、情報機器２、ＬＡＮ３、認証サーバ４、ＳＩＰサーバ５、内線電話機６から構成される。
【００１０】
サービスクレイドル１は、本発明の装置であって、後述の情報機器に対してワイヤレスで充電を行う機能を有し、充電台の形態を持つと共に、情報機器が行う音声通話の音声の入出力手段となるハンドセットを持つ。また、情報機器と無線による通信手段を有し、後述の認証サーバ、ＳＩＰサーバとの有線による通信手段を有する。
【００１１】
情報機器２は、市販のスマートフォンやタブレット端末等であって、無線の通信手段を有し、ワイヤレス充電機能を内蔵又はワイヤレス充電アダプタの装着によりワイヤレス充電に対応したものである。アプリケーションソフト（以下、単にアプリとする）を情報機器２にインストールして様々な機能を実現する。ワイヤレスサービスクレイドル１との接続アプリをインストールし認証等を自動的に行う。
【００１２】
ＬＡＮ３は、イーサネット（登録商標）等の有線ＬＡＮであり、ワイヤレスサービスクレイドル１と、認証サーバ４、ＳＩＰサーバ５、内線電話機６を接続する通信経路である。
【００１３】
認証サーバ４は、情報機器２がＬＡＮ３へのアクセス許可を受けた機器であるかどうかの認証を行い、さらに業務で利用する情報、データの管理、保管を行い、社員に対する業務サービスを行う認証サーバである。業務で利用する情報およびデータは認証許可された社員のみが利用可能なサーバである。
【００１４】
ＳＩＰサーバ５は、会社内の電話機の内線通話やお客様の電話機との外線通話を行う為に社内の電話機を登録、管理する一般的なＳＩＰサーバである。
【００１５】
内線電話機６は、会社内で利用されるビジネス電話機であり、本構成例ではＬＡＮ３により直接接続されるＩＰ電話機として説明する。
【００１６】
図２は、本発明によるワイヤレスサービスクレイドル１の機能ブロック構成図である。ワイヤレスサービスクレイドル１は、戴置検知部１０１、認証情報受信部１０２、ワイヤレス給電部１０３、特定機器判定部１０４、ワイヤレス通信起動部１０５、無線通信処理部１０６、無線音声処理部１０７、有線通信処理部１０８、情報中継処理部１０９、応答受信部１１０、サーバアクセス情報通知部１１１、認証情報転送部１１２、音声処理部１１３、ハンドセット１１４から構成される。
【００１７】
戴置検知部１０１は、情報機器２がワイヤレスサービスクレイドル１に載置されたことを検出し、ワイヤレス給電部１０３とワイヤレス通信起動部１０５へ前記情報機器２の載置を通知する。
【００１８】
認証情報受信部１０２は、無線処理部６が受信したデータより情報機器２からの認証情報を抽出し、特定機器判定部１０４へ前記認証情報を通知する。
【００１９】
ワイヤレス給電部１０３は、戴置検知部１０１から情報機器２の載置が通知されると、情報機器２に対してワイヤレス給電を開始する。ここでは、ワイヤレス給電の方式は静電結合方式であっても、Ｑｉ規格方式であっても構わない。いずれかの方式を一つ或いは複数に対応させる。
【００２０】
特定機器判定部１０４は、認証情報受信部１０２が受信した認証情報より前記載置された情報機器２が予め定められた特定の機器かどうかを判定し、前記特定の機器と判定したならば前記認証情報を認証情報転送部１１２へと通知する。
【００２１】
ワイヤレス通信起動部１０５は、戴置検知部１０１から情報機器２の載置が通知されると、情報機器２との通信を行う無線通信処理部１０６および無線音声処理部１０７を起動する。
【００２２】
無線通信処理部１０６は、情報機器２との間で通信を行う。８０２．１１ａｂｇｎの高速無線通信方式が望ましいが、Ｂｌｕｅｔｏｏｔｈ（登録商標）等の低速な通信方式であっても構わない。
【００２３】
無線音声処理部１０７は、情報機器２との間で通話音声のみを無線伝送する。通信方式は双方向の音声データ（電話機の通話品質程度のデータ量）が伝送できるものであれば何でも良い。例えばＢｌｕｅｔｏｏｔｈ（登録商標）等の近距離、省電力の無線方式。
【００２４】
有線通信処理部１０８は、認証サーバ４、ＳＩＰサーバ５、内線電話機６とＬＡＮ３を介して通信を行う。
【００２５】
情報中継処理部１０９は、認証サーバ４が情報機器２の認証を許可したならば、当該情報機器２から送信されたデータ、および 当該情報機器２への送信されるデータについて、無線通信処理部１０６と有線通信処理部１０８とのデータ中継を行う。
【００２６】
応答受信部１１０は、認証情報転送部１１２が認証サーバ４に対して認証要求したものに対する応答を受信し、認証が許可されたならば情報中継処理部１０９へ前記情報機器２の認証許可を通知する。
【００２７】
サーバアクセス情報通知部１１１は、応答受信部１１０が情報機器２に対する認証許可と検出した場合に、認証サーバ４およびＳＩＰサーバ５へアクセスする為に必要なサーバアクセス情報を情報機器２へ送信する。
【００２８】
認証情報転送部１１２は、情報機器２と認証サーバ４との間の認証手順を転送し、特定機器判定部１０４が戴置された情報機器２が予め定められた特定の機器であると判定した場合に認証手順を転送し、そうでない場合は認証手順を通過させない。
【００２９】
音声処理部１１３は、通話音声データを受話音声アナログ信号に、送話音声アナログ信号を通話音声データにそれぞれ変換するアナログデジタル変換を行う。
【００３０】
ハンドセット１１４は、受話器である。
【００３１】
図３は、本発明によるワイヤレスサービスクレイドル１の動作フローチャート図である。以下、図２を併用して、ワイヤレスサービスクレイドル１が認証サーバ４に対して認証を行う動作について説明する。
【００３２】
本フローチャートは、ワイヤレスサービスクレイドル１の電源が投入され、戴置検知部１０１の機能が起動された時に開始する（Ｓ１００）。
【００３３】
戴置検知部１０１は、情報機器２がワイヤレスサービスクレイドル１に戴置されるのを待つ（Ｓ１１０）。戴置検出部１０１が情報機器２の戴置を検出すると（Ｓ１１０：ＹＥＳ）、戴置検知部１０１はワイヤレス通信起動部１０５へ戴置検知したことを通知し、通知を受けたワイヤレス通信起動部１０５は、無線通信処理部１０６を起動する（Ｓ１１１）。起動した無線通信処理部１０６が、情報機器２との無線通信接続確立後、認証情報受信部１０２は、情報機器２からの認証情報の受信を待つ（Ｓ１２０）。認証情報受信部１０２が情報端末２からの認証情報を受信したならば（Ｓ１２０：ＹＥＳ）、認証情報受信部１０２は認証情報を特定機器判定部１０４へ転送し、特定機器判定部は認証情報を調査し、情報機器２が業務利用を許されている特定の機器であるかどうかを判定する(Ｓ１３０)。ここで特定の機器の判定は、事前に登録された無線通信機器のＩＤまたはＮＦＣ（近距離無線通信）によるデータ通信で判定しても良い。もし、特定機器であると判定されなければ（Ｓ１３０：ＮＯ）、特定機器不一致と判定して終了する。もし、情報機器２が業務利用を許されている特定機器であると判定されたならば（Ｓ１３０：ＹＥＳ）認証情報転送部１１１へ認証情報を転送し、認証情報転送部１１１は、更に情報中継処理部１０９および有線通信処理部１０８を介してＬＡＮ３より認証サーバ４へ認証情報を送信し（Ｓ１３１）、応答受信部１１０は、前記認証情報に対する応答を待ち受ける。応答受信部１１０が前記認証情報に対する応答を受信した時、応答の内容を調査し認証結果を判定する（Ｓ１４０）。もし、認証が許可されなければ（Ｓ１４０：ＮＯ）、認証不一致と判定して終了する。もし、認証が許可されていた時は（Ｓ１４０：ＹＥＳ）、応答受信部１１０は、サーバアクセス情報通知部１１１に対して、情報機器２へと所定のサーバへのアクセスに係る情報を通知するよう指示し、サーバアクセス情報通知部１１１は、所定のサーバへのアクセスに係る情報を情報中継処理部１０９および無線情報処理部１０６を経由して、情報機器２へ転送する（Ｓ１４１）。また、応答受信部１１０は、情報中継処理部１０９に対して当該情報機器２から送信されたデータ、および
当該情報機器２への送信されるデータについて、無線通信処理部１０６と有線通信処理部１０８との情報中継の許可を指示し、情報中継処理部１０９は、当該情報機器２から送信されたデータ、および
当該情報機器２への送信されるデータについて、無線通信処理部１０６と有線通信処理部１０８との情報中継を行う（Ｓ１４２）。
【００３４】
図４は、本発明による情報機器２の機能ブロック構成図である。情報機器２は、無線通信部２０１、無線通信機器判定部２０２、認証情報送信部２０３、サーバアクセス情報保存部２０４、サーバアクセス部２０５、ワイヤレス受信部２０６、機能制限設定部２０７、から構成される。
【００３５】
無線通信部２０１は、ワイヤレスサービスクレイドル１と無線によるローカル通信を実行し、無線通信が接続された場合には接続された通信機器２の情報を無線通信機器判定部２０２へと通知し、受信したデータがサーバアクセス情報であればサーバアクセス情報保存部２０４へと当該サーバアクセス情報を通知する。
【００３６】
無線通信機器判定部２０２は、無線通信部２０１からの通信機器情報を確認し特定の機器であるかどうかを判定する。特定の機器と判定すれば認証情報送信部２０３へと通知する。ここで特定の機器の判定は、事前に登録された無線通信機器のＳＳＩＤまたはＮＦＣ（近距離無線通信）によるデータ通信で判定しても良い。
【００３７】
認証情報送信部２０３は、無線通信機器判定部２０２からの通知により無線通信部２０１を介して当該ワイヤレスサービスクレイドル１へ自情報機器の認証情報を送信する。前記認証情報は予め自情報機器に設定しておいたものでも良いし、ワイヤレスサービスクレイドル１との無線接続時に随時使用者が入力しても良い。
【００３８】
サーバアクセス情報保存部２０４は、ワイヤレスサービスクレイドル１から受信したサーバアクセスのための情報を保存する。サーバアクセス情報は例えばサーバのＩＰアドレスおよびアクセス認証のためのユーザ名およびパスワードである。
【００３９】
サーバアクセス部２０５は、ユーザ操作によりサーバアクセスが要求された場合にサーバアクセス情報保存部２０４よりサーバアクセス情報を読み取り、当該サーバアクセス情報に則り無線通信部２０１を介してサーバへのアクセスを実行する。
【００４０】
ワイヤレス受電部２０６は、ワイヤレスでの電力を受電し自情報機器全体へと電力を供給する。
【００４１】
図５は、本発明による情報機器２の動作フローチャート図である。以下、図４を併用して情報機器２の動作について説明する。
【００４２】
本フローは、情報機器２の電源が投入された状態で、ワイヤレスサービスクレイドル１に載置された時にスタートする（Ｓ５００）。
【００４３】
無線通信が接続されると（Ｓ５０１：ＹＥＳ）、無線通信部２０１より無線通信機器判定部２０２へと接続された通信機器の情報が通知され、通信機器が予め設定された特定の機器と判定されれば（Ｓ５０２：ＹＥＳ）、当該ワイヤレスサービスクレイドル１に対して認証情報送信部２０３より自情報機器の認証情報を送信する（Ｓ５０３）。また、接続された通信機器が特定の機器でなければ（Ｓ５０２：ＮＯ）、以降の処理を実行せず一般的な無線通信を開始する。
【００４４】
前記認証情報に対して前記ワイヤレスサービスクレイドル１よりサーバアクセス情報が受信されなければ（Ｓ５０４：ＮＯ）、サーバアクセス情報の受信を待つ。前記認証情報に対して前記ワイヤレスサービスクレイドル１よりサーバアクセス情報が受信されると（Ｓ５０４：ＹＥＳ）、前記サーバアクセス情報をサーバアクセス情報保存２０４へと保存し（Ｓ５０５）、当該サーバに対するアクセスを開始する（Ｓ５０６）。
【００４５】
ここまでの説明は、情報機器２が認証サーバ４に対して認証を行う動作の説明であったが、ＳＩＰサーバ５に対しても、同様の動作フローで認証を行うことができる。ＳＩＰサーバ５から認証許可されたら、情報機器２でＩＰ電話アプリを起動すると内線電話機として利用可能となり、内線電話機６との通話ができる。
【００４６】
さらに、情報機器２をワイヤレスサービスクレイドル１に戴置したままでもワイヤレスサービスクレイドル１のハンドセット１１４を用いて通話を可能とする為、情報機器２の音声通話データをワイヤレスサービスクレイドル１の無線音声処理部１０７で送受信し、音声処理部１１３にてアナログ、デジタル変換しハンドセット１１４で通話音声を入出力する。この情報機器２とワイヤレスサービスクレイドル１との間の通話音声データの伝送経路は、情報機器２がＳＩＰサーバ５との認証を行う経路とは独立している為、特定機器判定手段が前記特定の機器ではないと判定した場合であっても、前記ハンドセットと前記載置された情報機器との間で音声情報を中継することが可能である。
【００４７】
以上、本発明の実施形態の一例を説明した。本発明によれば、ワイヤレスサービスクレイドルに情報機器を置くだけで、ユーザが煩わしい操作・手続きを行わなくても、認証サーバへのアクセス許可を簡単かつ安全に行うことができると共に、情報機器での通話を、従来の電話機による通話と同様に行えるハンドセットを情報機器の音声入出力装置として利用可能とするワイヤレスサービスクレイドルを提供できる。
【００４８】
また、本発明によるワイヤレスサービスクレイドルを、会社の各社員の机の上に設置しておけば、社員所有の一般的な情報機器を使って機密性の高い業務データ・情報の利用が可能となり、業務での通話においても使い易いハンドセットを利用することができる。従って、個人所有の情報機器の業務への利用を可能にできる。
【符号の説明】
【００４９】
１・・・ワイヤレスサービスクレイドル
１０１・・・戴置検知部
１０２・・・認証情報受信部
１０３・・・ワイヤレス給電部
１０４・・・特定機器判定部
１０５・・・ワイヤレス通信起動部
１０６・・・無線通信処理部
１０７・・・無線音声処理部
１０８・・・有線通信処理部
１０９・・・情報中継処理部
１１０・・・応答受信部
１１１・・・サーバアクセス情報通知部
１１２・・・認証情報転送部
１１３・・・音声処理部
１１４・・・ハンドセット
２・・・情報機器
２０１・・・無線通信部
２０２・・・無線通信機器判定部は
２０３・・・認証情報送信部
２０４・・・サーバアクセス情報保存部
２０５・・・サーバアクセス部
２０６・・・ワイヤレス受信部
２０７・・・機能制限設定部
３・・・ＬＡＮ
４・・・認証サーバ
５・・・ＳＩＰサーバ
６・・・内線電話機
【図１】
2014071849.tif 000003
【図２】
2014071849.tif 000004
【図３】
2014071849.tif 000005
【図４】
2014071849.tif 000006
【図５】
2014071849.tif 000007